(57)【要約】【課題】  コンベヤの後部に溜まる夾雑物の除去やメンテナンスのための作業空間を広く確保することができ、効率よく作業を行うことができる根菜類収穫機の夾雑物処理コンベヤ装置を提供する。【解決手段】  根菜類を搬送するコンベヤベルト３と、このコンベヤベルト３上に架設され、その軸線方向を昇降機１８入り口に向けて斜めに配置された強制回転ローラ４と、この強制回転ローラ４と平行に上方に配置されたコンベヤガイド５とを有する根菜類収穫機の夾雑物処理コンベヤ装置２であって、コンベヤガイド５の左右いずれか一端部を開閉部材８を介して収穫機本体１に取り付けるとともに、他端部にコンベヤガイド５を閉状態で収穫機本体１に固定する固定部材９を設けており、コンベヤガイド５の両端部から後方へマット取付アーム６を延出させ、このマット取付アーム６の先端部に根菜類から分離除去された夾雑物等の散乱を防止する散乱防止マット７を取り付ける。【選択図】  図１
0003108198.tif 000002
【実用新案登録請求の範囲】
【請求項１】
掘り取った根菜類を載せて搬送するコンベヤベルトと、このコンベヤベルト上に所定の間隔を隔てて架設されているとともにその軸線方向を次行程の昇降機入り口に向けて斜めに配置された強制回転ローラと、この強制回転ローラと平行に上方に配置されたコンベヤガイドとを有し、前記根菜類を前記強制ローラによって回転させながら土砂や夾雑物を分離除去するとともに前記コンベヤガイドに沿って昇降機入り口へ搬送する根菜類収穫機の夾雑物処理コンベヤ装置であって、
前記コンベヤガイドの左右いずれか一端部を開閉部材を介して収穫機本体に取り付けるとともに、他端部に前記コンベヤガイドを閉状態で前記収穫機本体に固定する固定部材を設けており、
前記コンベヤガイドの両端部から後方へマット取付アームを延出させるとともに、このマット取付アームの先端部に根菜類から分離除去された土砂や夾雑物の散乱を防止する散乱防止マットを取り付けていることを特徴とする夾雑物処理コンベヤ装置。
【請求項２】
請求項１において、前記コンベヤガイドには、土砂や夾雑物等の貯留状態を視認するための柵状の視認用隙間が形成されていることを特徴とする夾雑物処理コンベヤ装置。
【請求項３】
請求項１において、前記コンベヤガイドには、土砂や夾雑物等の貯留状態を視認するための網目状の視認用隙間が形成されていることを特徴とする夾雑物処理コンベヤ装置。
【考案の詳細な説明】
【技術分野】
【０００１】
本考案は、掘り取ったビート等の根菜類から土砂や夾雑物等を分離除去して次行程の昇降機（ロータリバケット）へ搬送するための根菜類収穫機の夾雑物処理コンベヤ装置に関するものである。
【背景技術】
【０００２】
従来より、ビート等の根菜類を収穫する場合、図４に示すような根菜類収穫機１１が使用されている。この根菜類収穫機１１は、ヒッチ１３を介してトラクタの３点支持装置に連結されるとともに、トラクタ後部の外部動力取出軸（ＰＴＯ軸）と前記根菜類収穫機１１の動力取入軸（ＰＩＣ軸）とをユニバーサルジョイントによって連結し、トラクタの駆動動力が取り入れられるようになっている。そして、根菜類を収穫する場合、地面から露出した根部周辺の茎葉や夾雑物をクリーナ装置１４によって除去した後、根菜掘取部１５の掘取刃を使って根菜類を掘り出し、この根菜類を堀取コンベヤ１６と補助コンベヤ１７との間に狭持しながら次工程の夾雑物処理コンベヤ装置１２へ搬送して土砂や茎葉等の夾雑物を分離除去する。そして、根菜類のみを昇降機としてのロータリーバケット１８へと搬送し、このロータリーバケット１８によって上部送りコンベヤ１９へと移送して収容タンク２０内に収容するようになっている。
【０００３】
以上のような根菜類収穫機１１において、従来における夾雑物処理コンベヤ装置１２は、図５に示すように、根菜類を載せるコンベヤベルト３と、このコンベヤベルト３上にその軸線方向をロータリーバケット１８の方向に向けて架設された強制回転ローラ４と、この強制回転ローラ４上に設けられた板状のコンベヤガイド２１とを有している。そして、堀取コンベヤ１６から受けた根菜類をコンベヤベルト３に載せて移送し、強制回転ローラ４およびコンベヤガイド２１に当接することにより方向転換させて、ロータリーバケット１８内へと搬送する。一方、石、土砂、茎葉、夾雑物等は強制回転ローラ４の回転によってコンベヤベルト３との間に引き込んで分離し、後方側へと搬送するようになっている。そして、分離除去された夾雑物等はコンベヤベルト３の端部まで搬送され、根菜類収穫機１１の後方から畑に排出される。
【０００４】
前述した根菜類収穫機１１の夾雑物処理コンベヤ装置１２に関する技術として、例えば、特開２００１−２３１３２２号公報に記載のコンベヤ装置が挙げられる（特許文献１）。このコンベヤ装置は、コンベヤベルトの搬送方向に対してコンベヤガイドが斜めに配置されており、搬送されてきた根菜類をロータリーバケット内へとガイドするようになっている。
【０００５】
【特許文献１】特開２００１−２３１３２２号公報
【考案の開示】
【考案が解決しようとする課題】
【０００６】
しかしながら、特許文献１に記載された発明を含め、従来の夾雑物処理コンベヤ装置１２においては、コンベヤガイド２１が収穫機本体に直接固定されているため、コンベヤの後部に溜まる夾雑物を除去する場合や夾雑物処理コンベヤ装置１２のメンテナンスを行う場合、前記コンベヤガイド２１が障害となって作業がし難く、多くの時間と労力を費やしていた。
【０００７】
本考案は、このような問題点を解決するためになされたものであって、コンベヤの後部に溜まる夾雑物の除去やメンテナンスのための作業空間を広く確保することができ、効率よく作業を行うことができる根菜類収穫機の夾雑物処理コンベヤ装置を提供することを目的としている。
【課題を解決するための手段】
【０００８】
本考案に係る夾雑物処理コンベヤ装置の特徴は、掘り取った根菜類を載せて搬送するコンベヤベルトと、このコンベヤベルト上に所定の間隔を隔てて架設されているとともにその軸線方向を次行程の昇降機入り口に向けて斜めに配置された強制回転ローラと、この強制回転ローラと平行に上方に配置されたコンベヤガイドとを有し、前記根菜類を前記強制ローラによって回転させながら土砂や夾雑物を分離除去するとともに前記コンベヤガイドに沿って昇降機入り口へ搬送する根菜類収穫機の夾雑物処理コンベヤ装置であって、前記コンベヤガイドの左右いずれか一端部を開閉部材を介して収穫機本体に取り付けるとともに、他端部に前記コンベヤガイドを閉状態で前記収穫機本体に固定する固定部材を設けており、前記コンベヤガイドの両端部から後方へマット取付アームを延出させるとともに、このマット取付アームの先端部に根菜類から分離除去された土砂や夾雑物の散乱を防止する散乱防止マットを取り付けている点にある。
【０００９】
また、本考案において、前記コンベヤガイドには、土砂や夾雑物等の貯留状態を視認するための柵状あるいは網目状の視認用隙間が形成されていることが好ましい。
【考案の効果】
【００１０】
本考案によれば、コンベヤの後部に溜まる夾雑物の除去やメンテナンスのための作業空間を広く確保することができ、効率よく作業を行うことができる。
【考案を実施するための最良の形態】
【００１１】
以下、本考案に係る根菜類収穫機１の夾雑物処理コンベヤ装置２の実施形態について図面を用いて説明する。なお、根菜類収穫機１の構成のうち、従来の構成と同一若しくは相当する構成については同一の符号を付して説明する。
【００１２】
図１は、本考案に係る夾雑物処理コンベヤ装置２の実施形態を示す斜視図であり、図２は、本実施形態の夾雑物処理コンベヤ装置２を装着した根菜類収穫機１の側面図である。
【００１３】
本実施形態の夾雑物処理コンベヤ装置２を有する根菜類収穫機１は、ヒッチ１３を介してトラクタの３点支持装置に連結されるとともに、トラクタ後部の外部動力取出軸（ＰＴＯ軸）と根菜類収穫機１の動力取入軸（ＰＩＣ軸）とをユニバーサルジョイントによって連結し、トラクタの駆動動力が取り入れられるようになっている。そして、根菜類を収穫する場合、地面から露出した根部周辺の茎葉や夾雑物をクリーナ装置１４によって除去した後、根菜掘取部１５の掘取刃を使って根菜類を掘り出し、この根菜類を堀取コンベヤ１６と補助コンベヤ１７との間に狭持しながら本実施形態の夾雑物処理コンベヤ装置２へ搬送して土砂や茎葉等の夾雑物を分離除去する。そして、根菜類のみを昇降機としてのロータリーバケット１８へと搬送し、このロータリーバケット１８によって上部送りコンベヤ１９へと移送して収容タンク２０内に収容するようになっている。
【００１４】
そして、本実施形態の夾雑物処理コンベヤ装置２は、図１に示すように、主として、掘り取った根菜類を載せて搬送するコンベヤベルト３と、このコンベヤベルト３上に架設されて根菜類とともに搬送されてきた茎葉等の夾雑物や土砂等を除去する強制回転ローラ４と、この強制回転ローラ４の上方に配置されて根菜類の搬送方向を転換するコンベヤガイド５と、このコンベヤガイド５に一体的に設けられたマット取付アーム６と、このマット取付アーム６に取り付けられて夾雑物の散乱を防止する散乱防止マット７とから構成されている。
【００１５】
前記強制回転ローラ４は、ゴムローラ等の弾性材から構成されている。また、強制回転ローラ４の軸線方向はコンベヤベルト３と交差されてロータリーバケット１８の入り口に向けられている。また、強制回転ローラ４は、コンベヤベルト３の高さ方向に所定の間隔を隔てて配置されている。この隙間の間隔は、土砂や茎葉等の夾雑物が通過するように決定され、本実施形態では１０ｍｍ〜１５ｍｍ程度に設定されている。そして、強制回転ローラ４は、コンベヤベルト３の回動方向と逆方向に回転され、夾雑物等を前記コンベヤベルト３との隙間に引き込んで分離し、後方に排出するようになっている。
【００１６】
コンベヤガイド５は、図１に示すように、両端のガイドフレーム５１，５１間に複数本のガイドバー５２を上下に間隔を隔てて支持された構成とされている。そして、一方のガイドフレーム５１が開閉部材８を介して収穫機本体１に取り付けられているとともに、他方のガイドフレーム５１にはコンベヤガイド５を収穫機本体１に固定するための固定部材９が設けられている。この固定部材９によってコンベヤガイド５を閉じた状態で収穫機本体１に固定したとき、コンベヤガイド５は根菜類をロータリーバケット１８の入り口方向に案内し得る傾斜角度で固定される。なお、本実施形態では、開閉部材８としてヒンジを使用しており、固定部材９としてブラケット９１と固定ネジ９２を使用している。また、各ガイドバー５２の間隔は、土砂や夾雑物の貯留状態を視認するための視認用隙間５３として形成されており、根菜類が通過しない程度の間隔に設定されている。この視認用隙間５３は網目状に構成してもよく、土砂や夾雑物等の貯留状態を確認できればよい。
【００１７】
また、マット取付アーム６は、コンベヤガイド５の両ガイドフレーム５１，５１からコンベヤベルト３の搬送方向後方に延出するように固定されている。これらのマット取付アーム６，６の先端部には、ゴムマット等から構成される散乱防止マット７が垂下するように取り付けられている。この散乱防止マット７は、コンベヤガイド５が閉じられた状態で、コンベヤベルト３の終端部近傍に位置し、分離された夾雑物や土砂等が畑に散乱されないように下方へ排出する。
【００１８】
つぎに、本実施形態における根菜類収穫機１の夾雑物処理コンベヤ装置２による作用を説明する。
【００１９】
まず、根菜類収穫機１により通常の収穫作業を行う場合、固定部材９によってコンベヤガイド５を収穫機本体１に固定しておく。そして、根菜類がコンベヤベルト３上を搬送されてくると、コンベヤガイド５によって搬送方向が転換され、ロータリーバケット１８内へ案内される。このとき、根菜類と共に搬送されてきた土砂や根菜類の茎葉等の夾雑物は、強制回転ローラ４の回転によって巻き込まれて根菜類と分離され、コンベヤベルト３との隙間を通って後方へ排除される。そして、強制回転ローラ４により弾き飛ばされた夾雑物やコンベヤベルト３の終端部まで搬送された夾雑物は、散乱防止マット７に当接し、広く散乱されることなく畑に落とされる。
【００２０】
根菜類の収穫後、あるいは収穫中に土砂や夾雑物等が夾雑物処理コンベヤ装置２に溜まっているか否かは視認用隙間５３によって容易に確認することができる。また、根菜類収穫機１の保守点検作業を行う場合、図３に示すように、固定部材９を収穫機本体１から外してコンベヤガイド５を開放する。これにより、コンベヤガイド５および散乱防止マット７が収穫機本体１の後方から横方向に避けられるので、広いスペースを確保することができ、夾雑物の除去作業やメンテナンス作業が極めて行いやすい。そして、保守点検作業等が終了した後は、コンベヤガイド５を開閉部材８によって元の位置に戻し、固定部材９によって収穫機本体１に固定すれば、所定の位置で正確に固定することが可能である。
【００２１】
以上のような本実施形態によれば、コンベヤガイド５および散乱防止マット７を一体的に開閉自在にすることにより、コンベヤベルト３の作業スペースを広く確保することができるので、清掃作業やメンテナンス作業を容易に行うことができ、作業時間や作業労力を低減することができる。
【００２２】
なお、本考案に係る根菜類収穫機１の夾雑物処理コンベヤ装置２は、前述した実施形態に限定されるものではなく、適宜変更することができる。例えば、本実施形態のコンベヤガイド５の開閉部材８と固定部材９の位置関係を左右反対にしてもよい。
【００２３】
また、本実施形態では、コンベヤガイド５に視認用隙間５３を形成しているが、土砂や夾雑物等の貯留状態を視認できれば透明のアクリル板等によって構成してもよい。但し、アクリル板は汚れて視認性が低下しやすいという問題がある。
【図面の簡単な説明】
【００２４】
【図１】本考案に係る根菜類収穫機の夾雑物処理コンベヤ装置の実施形態を示す斜視図である。
【図２】本実施形態の夾雑物処理コンベヤ装置を装着した根菜類収穫機の側面図である。
【図３】本実施形態の夾雑物処理コンベヤ装置において、コンベヤガイドを開放した状態を示す斜視図である。
【図４】従来の根菜類収穫機を示す側面図である。
【図５】従来の夾雑物処理コンベヤ装置を示す斜視図である。
【符号の説明】
【００２５】
１  根菜類収穫機（収穫機本体）
２  夾雑物処理コンベヤ装置
３  コンベヤベルト
４  強制回転ローラ
５  コンベヤガイド
６  マット取付アーム
７  散乱防止マット
８  開閉部材
９  固定部材
１１  従来の根菜類収穫機
１２  従来の夾雑物処理コンベヤ装置
１３  ヒッチ
１４  クリーナ装置
１５  根菜掘取部
１６  堀取コンベヤ
１７  補助コンベヤ
１８  ロータリーバケット（昇降機）
１９  上部送りコンベヤ
２０  収容タンク
２１  従来のコンベヤガイド
２２  従来のマット取付アーム
２３  反射板
２４  従来の散乱防止マット
５１  ガイドフレーム
５２  ガイドバー
５３  視認用隙間
９１  ブラケット
９２  固定ネジ
【図１】
0003108198.tif 000003
【図２】
0003108198.tif 000004
【図３】
0003108198.tif 000005
【図４】
0003108198.tif 000006
【図５】
0003108198.tif 000007